(57)【特許請求の範囲】
【請求項１】
シロアリが食する膜材（５１）を備え、前記膜材により囲われる内部に、検知対象ガスを放出するガス放出物（５２）が封入された疑似餌（５０）と、
前記疑似餌を収容する収容空間（１３）を備え、かつ、シロアリが前記収容空間に侵入可能な侵入口（１４）が形成されている本体部（１０）と、
前記疑似餌から放出された前記検知対象ガスを検知するガスセンサ（３０）とを備えることを特徴とするシロアリ検知装置。
【請求項２】
請求項１において、
前記ガス放出物は、シロアリが放出するガスを、前記検知対象ガスとして放出することを特徴とするシロアリ検知装置。
【請求項３】
請求項１または２において、
前記ガス放出物は、前記検知対象ガスとして、空気よりも重いガスを放出することを特徴とするシロアリ検知装置。
【請求項４】
請求項１〜３のいずれか１項において、
前記ガス放出物は、揮発して前記検知対象ガスとなり、前記シロアリ検知装置の設置環境下で液体であることを特徴とするシロアリ検知装置。
【請求項５】
請求項４において、
前記ガス放出物は、揮発性の鎖式飽和炭化水素化合物であることを特徴とするシロアリ検知装置。
【請求項６】
請求項１〜５のいずれか１項において、
前記ガスセンサは、予め設定された複数種類の前記検知対象ガスを検出することができるセンサであることを特徴とするシロアリ検知装置。
【発明の詳細な説明】
【技術分野】
【０００１】
本発明は、シロアリを検知するシロアリ検知装置に関し、特に、シロアリが少数である場合や活動が低下した状態のシロアリでも検知しやすくする技術に関する。
【背景技術】
【０００２】
特許文献１には、シロアリを検知するために、餌を収容した本体を地中に埋設し、かつ、シロアリの代謝ガスを検知する水素ガス検知素子を設けた装置が開示されている。特許文献１の装置は、シロアリが代謝によって水素を放出することを利用しており、水素を検知することでシロアリを検知する。
【先行技術文献】
【特許文献】
【０００３】
【特許文献１】特許第３８０５２３５号公報
【特許文献２】特開２００７−２１３１５号公報
【発明の概要】
【発明が解決しようとする課題】
【０００４】
シロアリが少ない場合には、シロアリから代謝によって放出する水素も少ない。また、シロアリは、冬期など、気温が低いときは活動が低下し、活動が低下すると代謝によって放出する水素も減少する。したがって、特許文献１の装置は、シロアリの数が少ないときや、シロアリの活動が低下しているときは、シロアリを検知することが困難である。
【０００５】
本発明は、この事情に基づいて成されたものであり、その目的とするところは、シロアリの数が少ないときや、シロアリの活動が低下しているときでも、シロアリを検知しやすいシロアリ検知装置を提供することにある。
【課題を解決するための手段】
【０００６】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００７】
上記目的を達成するための本発明は、シロアリが食する膜材（５１）を備え、膜材により囲われる内部に、検知対象ガスを放出するガス放出物（５２）が封入された疑似餌（５０）と、
疑似餌を収容する収容空間（１３）を備え、かつ、シロアリが収容空間に侵入可能な侵入口（１４）が形成されている本体部（１０）と、
疑似餌から放出された検知対象ガスを検知するガスセンサ（３０）とを備えることを特徴とするシロアリ検知装置である。
【０００８】
本発明では、本体部の収容空間に疑似餌が収容されている。本体部には、シロアリが侵入可能な侵入口が形成されているので、シロアリは、収容空間に侵入して疑似餌を食べることができる。疑似餌は、シロアリが食する膜材を備え、膜材により囲われる内部に検知対象ガスを放出するガス放出物が封入されている。したがって、膜材がシロアリに食べられた場合には、膜材が破れ、疑似餌の破れた部分から検知対象ガスが放出される。ガスセンサは、疑似餌から放出されたこの検知対象ガスを検知する。疑似餌は膜材でガス放出物を封入する構成であることから、疑似餌がシロアリに食べられた場合に放出される検知対象ガスの量を、シロアリが代謝する代謝ガスよりも多くすることは容易である。
【０００９】
そして、疑似餌がシロアリに食べられた場合に放出される検知対象ガスの量を、シロアリが代謝によって排出する代謝ガスよりも多くすれば、代謝ガスを検知することでシロアリを検知する従来技術よりも少ない数のシロアリで、シロアリを検知することができ、また、従来技術よりもシロアリの活動が低下した状態でも、シロアリを検知することができる。
【００１０】
請求項２に記載の発明では、ガス放出物は、シロアリが放出するガスを、検知対象ガスとして放出する。このようにすれば、ガス放出物が放出する検知対象ガスとシロアリが放出する検知対象ガスとが混ざり、検知対象ガスの濃度が高くなるので、ガスセンサにより検知対象ガスをより早期に検出することができる。
【００１１】
請求項３記載の発明では、ガス放出物は、検知対象ガスとして、空気よりも重いガスを放出する。検知対象ガスが空気よりも重いガスであると、疑似餌から放出された検知対象ガスは、本体部の中で滞留しやすくなる。その結果、本体部内の検知対象ガスの濃度が早期に高くなりやすいので、ガスセンサにより検知対象ガスをより早期に検出することができる。
【００１２】
請求項４記載の発明では、ガス放出物は、揮発して検知対象ガスとなり、シロアリ検知装置の設置環境下で液体である。ガス放出物が液体であって、揮発して検知対象ガスを放出する場合、ガス放出物が検知対象ガスそのものである場合よりも、多くの量の検知対象ガスを放出することができる。これによって、シロアリが食べる疑似餌の量が少ない状態で、本体部内の検知対象ガスの濃度が高くなりやすいので、ガスセンサにより検知対象ガスをより早期に検出することができる。
【００１３】
請求項５記載の発明では、ガス放出物は、揮発性の鎖式飽和炭化水素化合物である。鎖式飽和炭化水素化合物は、不飽和炭化水素と比較すると分子量の割に沸点が低い。したがって、ガス化しやすい。ガス化しやすいことから、本体部内の検知対象ガスの濃度が早期に高くなりやすいので、ガスセンサにより検知対象ガスをより早期に検出することができる。
【００１４】
請求項６記載の発明では、ガスセンサは、予め設定された複数種類の検知対象ガスを検出することができるセンサである。
【００１５】
このようにすれば、ガスセンサを変更しなくても、ガス放出物を、ガスセンサが検出することができる他の種類の検知対象ガスを放出するガス放出物に変更することができる。よって、設置環境に応じて、設置雰囲気に影響を受けにくい検知対象ガスを放出するガス放出物に変更することが容易になる。たとえば、通常は検知対象ガスとしてメタンを放出するガス放出物を疑似餌に封入し、メタンガスの濃度が比較的高い環境でシロアリ検知装置を用いる場合には、疑似餌に封入するガス放出物を、他の種類の検知対象ガスを放出するガス放出物に変更するということが容易になる。その結果、設置雰囲気の影響を受けて、シロアリの検出が遅れてしまったり、誤検出をしてしまったりすることを抑制できる。
【図面の簡単な説明】
【００１６】
【図１】シロアリ検知装置１の使用状態での断面図である。
【図２】図１の回路部４０の構成を示す図である。
【図３】図１の疑似餌５０の断面図である。
【発明を実施するための形態】
【００１７】
＜第１実施形態＞
以下、本発明の実施形態を図面に基づいて説明する。図１に示すように、シロアリ検知装置１は、本体部１０、蓋部２０、ガスセンサ３０、回路部４０、疑似餌５０を備えている。
【００１８】
本体部１０は、一方向に開口する筒部１１と、その筒部１１の開口側の端に形成された円環形状のフランジ部１２を備える。筒部１１は円筒形状であり、内部が収容空間１３である。シロアリ検知装置１は、使用状態では、筒部１１が地中に埋設され、フランジ部１２が地表面に露出している。
【００１９】
筒部１１には、シロアリが内部に侵入できるように、複数の侵入口１４が形成されている。この侵入口１４の数および形状は、シロアリが通ることができれば、特に制限はない。たとえば、侵入口１４の形状は、筒部１１の周方向に延びるスリット状とすることができる。
【００２０】
蓋部２０は、本体部１０の開口を覆っている円盤状部材であり、蓋部２０の収容空間１３側の面にガスセンサ３０と回路部４０が配置されている。ガスセンサ３０は、たとえば、回路部４０が備える基板に固定されている。
【００２１】
ガスセンサ３０は、筐体３１を備え、この筐体３１内に、赤外線光源３２、波長可変バンドパスフィルタ３３、赤外線検出器３４が収容された構成である。筐体３１は筒型であり、軸方向が蓋部２０と直交するように配置されている。この筐体３１には、複数のガス流通穴３１ｓが形成されている。このガス流通穴３１ｓを通って、疑似餌５０から放出された検知対象ガスが筐体３１内の空間に入り込む。
【００２２】
赤外線光源３２は、筐体３１の蓋部２０側の端部に固定されており、他方の端部に向けて赤外線を照射する。波長可変バンドパスフィルタ３３は、赤外線領域内において通過させる波長を可変させることができるバンドパスフィルタであり、通過させる波長を測定中に変化させることができる。この波長可変バンドパスフィルタ３３は、蓋部２０とは反対側の筐体３１の端部に固定されている。赤外線検出器３４は、波長可変バンドパスフィルタ３３を通過した赤外光を検出する検出器である。
【００２３】
このガスセンサ３０は、以上の構成を備えることで、赤外線吸収スペクトルを測定する。したがって、赤外線を吸収するガスであれば、種々のガスを検出できる。つまり、ガスセンサ３０は、２原子分子である水素ガス、酸素ガス、窒素ガスなどの一部のガスを除き、ほとんどのガスを検出することができる。第１実施形態では、ガスセンサ３０が検知対象とするガス、すなわち、検知対象ガスはメタンガス５２ｍ（図３参照）である。メタンガス５２ｍは赤外線を吸収するので、ガスセンサ３０で検出できる。
【００２４】
回路部４０は、図２に示すように、マイクロプロセッサ４１と、メモリ４２と、無線通信モジュール４３とを備えている。これらは、図示しない回路収容ケース内に収容されている。メモリ４２には、予め設定された１つまたは複数の検知対象ガスに対する基準赤外線吸収スペクトルが記憶されている。
【００２５】
マイクロプロセッサ４１は、ガスセンサ３０により赤外線吸収スペクトルを測定させて、測定した赤外線吸収スペクトルと、メモリ４２に記憶されている基準赤外線吸収スペクトルとを対比することで、検知対象ガスが発生したか否かを判断する。なお、検知対象ガスが発生したか否かは、測定可能な可変波長域の全範囲の赤外線吸収スペクトルを用いて判断してもよいし、検知対象ガスの種類により定まる一部の波長域の赤外線吸収スペクトルのみを用いてもよい。
【００２６】
測定した赤外線吸収スペクトルの、検知対象ガスの種類に応じて定まる波長域にピークが存在していれば、検知対象ガスが発生した、すなわち検知対象ガスを検知したと判断する。あるいは、測定した赤外線吸収スペクトルを逐次メモリ４２に記憶しておき、所定時間前あるいは所定回数前の測定値との差分スペクトルにおいて、検知対象ガスの種類に応じて定まる波長域にピークが存在していれば、検知対象ガスを検知したと判断してもよい。
【００２７】
そして、マイクロプロセッサ４１は、検知対象ガスを検知した場合には、無線通信モジュール４３を使って、検知対象ガスを検知したことを、所定の通知対象装置に通知する。
【００２８】
説明を図１に戻す。疑似餌５０は、収容空間１３内において、ガスセンサ３０の下端よりも下側に複数堆積している。本実施形態の疑似餌５０は球状であり、粒形は１００μｍ程度である。
【００２９】
図３に示すように、疑似餌５０は、外面が膜材５１で形成されており、この膜材５１により囲われる内部にガス放出物５２が封入された構成である。膜材５１は、シロアリが食する材料、たとえばセルロース製である。
【００３０】
ガス放出物５２は、膜材５１が破れると、疑似餌５０の外部に検知対象ガスを放出する物質である。本実施形態では、ガス放出物５２は、検知対象ガスであるメタンガス５２ｍとする。この疑似餌５０の作り方は、たとえば、特許文献２に記載されている方法を用いることができる。
【００３１】
特許文献２に記載されている方法では、液体中にマイクロバブルを発生させ、そのマイクロバブルの表面でプレポリマーを重合反応させて、殻（すなわち膜材）を生成させる。マイクロバブルとしてメタンガス５２ｍのマイクロバブルを発生させ、プレポリマーとしてセルロースプレポリマーを用いれば、本実施形態の疑似餌５０が生成できる。また、マイクロバブルの径を調整することで、疑似餌５０の大きさを調整できる。
【００３２】
［シロアリ検知装置１の検知作動］
シロアリ検知装置１は、本体部１０の収容空間１３に疑似餌５０が収容されている。また、本体部１０には、シロアリが侵入可能な侵入口１４が形成されている。したがって、シロアリは、収容空間１３に侵入して疑似餌５０を食べることができる。
【００３３】
疑似餌５０は、外面がシロアリが食する膜材５１で形成されており、膜材５１により囲われる内部にガス放出物５２としてメタンガス５２ｍが封入されている。したがって、膜材５１がシロアリに食べられた場合には、疑似餌５０からメタンガス５２ｍが本体部１０の収容空間１３に放出される。収容空間１３に放出されたメタンガス５２ｍは、ガス流通穴３１ｓを通ってガスセンサ３０の筐体３１内の空間に入り込むので、ガスセンサ３０は、メタンガス５２ｍを検知する。
【００３４】
収容空間１３に放出されるメタンガス５２ｍは、疑似餌５０から放出されるメタンガス５２ｍのみではない。シロアリの代謝ガスにはメタンガス５２ｍが含まれていることが知られている。したがって、シロアリにより疑似餌５０が食べられている状況では、シロアリが代謝したメタンガス５２ｍと、疑似餌５０から放出されたメタンガス５２ｍとが混合されるので、収容空間１３のメタンガス５２ｍの濃度が、シロアリのみがメタンガス５２ｍを出す場合よりも高くなりやすい。
【００３５】
そのため、本実施形態によれば、早期にメタンガス５２ｍを検出することができる。その結果、従来技術よりも少ない数のシロアリで、シロアリを検知することができ、また、従来技術よりもシロアリの活動が低下した状態でも、シロアリを検知することができる。
【００３６】
加えて、疑似餌５０がシロアリに食べられている量が少ないときには、本体部１０内の空間の体積が少ないので、シロアリがまだ少ない時に、特に、メタンガス５２ｍの濃度が高くなりやすい。この点でも、シロアリを早期に検出することができる。
【００３７】
また、本実施形態のシロアリ検知装置１が備えるガスセンサ３０は、赤外線吸収式ガスセンサであり、赤外線を吸収するガスであれば、種々のガスを検出できる。したがって、ガスセンサ３０を変更しなくても、ガス放出物５２を、ガスセンサ３０が検出することができる他の種類の検知対象ガスを放出するガス放出物５２に変更することができる。この特長を利用して、通常は、本実施形態で説明したように、メタンガス５２ｍを封入した疑似餌５０を用いるが、メタンガス５２ｍの濃度が比較的高い環境で用いる場合には、他の種類の検知対象ガスを放出するガス放出物５２に変更するということが容易になる。その結果、設置雰囲気の影響を受けて、シロアリの検出が遅れてしまったり、誤検出をしてしまったりすることを抑制できる。
【００３８】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００３９】
第２実施形態では、ガス放出物５２の具体的構成をオクタン５２ｏとする。オクタン５２ｏは、シロアリが出すフェロモンの１つであることが知られている。
【００４０】
また、オクタン５２ｏは、炭素数８の鎖式飽和炭化水素化合物であり、融点−６０度、沸点１２５度であるので、シロアリ検知装置１の設置環境下で液体の物体である。なお、シロアリ検知装置１の設置環境下での融点が、シロアリ検知装置１の雰囲気温度よりも低く、シロアリ検知装置１の設置環境下での沸点が、シロアリ検知装置１の雰囲気温度よりも高い物質が、シロアリ検知装置１の設置環境下で液体となる。
【００４１】
また、オクタン５２ｏは揮発性であり、液体のオクタンが揮発すると、オクタンガスを放出する。このオクタンガスが検知対象ガスである。オクタン５２ｏは分子量が約１１４であるので、オクタンガスは空気よりも重い。また、オクタンガスは赤外線を吸収するので、ガスセンサ３０で検出できる。
【００４２】
シロアリ検知装置１の設置環境下で液体（つまり常温で液体）であるオクタン５２ｏをガス放出物５２として封入した疑似餌５０は、たとえば、公知の次の方法で作ることができる。
【００４３】
まず、乳化剤中にオクタン５２ｏを入れて撹拌することで、オクタン５２ｏの小液滴を乳化剤中に分散させる。なお、撹拌の程度により、オクタン５２ｏの小液滴の大きさを調整できる。次いで、セルロースプレポリマーを乳濁液に投入して、オクタン５２ｏの小液滴表面でセルロースプレポリマーを重合反応させると、オクタン５２ｏが封入された疑似餌５０が生成される。
【００４４】
［第２実施形態の効果］
第２実施形態では、膜材５１がシロアリに食べられた場合には、疑似餌５０からオクタンガスが放出される。また、シロアリもオクタンガスを放出する。したがって、シロアリにより疑似餌５０が食べられている状況では、オクタンガスの濃度が、シロアリのみがオクタンガスを出す場合よりも高くなりやすい。よって、早期にオクタンガスを検出することができる。その結果、従来技術よりも少ない数のシロアリで、シロアリを検知することができ、また、従来技術よりもシロアリの活動が低下した状態でも、シロアリを検知することができる。
【００４５】
また、オクタンガスは空気よりも重い。したがって、疑似餌５０から放出されたオクタンガスは、本体部１０の中で滞留しやすくなる。その結果、本体部１０内のオクタンガスの濃度が早期に高くなりやすいので、ガスセンサ３０によりオクタンガスを早期に検出することができる。なお、空気よりも重くても、ガスは拡散現象があるため、収容空間１３のガス流通穴３１ｓの高さまでの部分が、全部、オクタンガスにならなくても、オクタンガスはガスセンサ３０の筐体３１内に入る。
【００４６】
さらに、オクタン５２ｏは、シロアリ検知装置１の設置環境下で液体であって、揮発してオクタンガスとなる。疑似餌５０に封入されている液体のオクタン５２ｏから揮発して生じるオクタンガスの体積は疑似餌５０よりも大きくなる。したがって、疑似餌５０にオクタンガスを封入する場合よりも、多くのオクタンガスを放出することができる。これによっても、収容空間１３のオクタンガスの濃度が高くなりやすいので、ガスセンサ３０によりオクタンガスを早期に検出することができる。
【００４７】
また、オクタン５２ｏは鎖式飽和炭化水素化合物である。したがって、分子量の割に沸点が低い。そのため、空気より重くてもガス化しやすい。この特性によって、本体部１０内のオクタンガスの濃度が早期に高くなりやすいので、ガスセンサ３０によりオクタンガスをより早期に検出することができる。
【００４８】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００４９】
＜変形例１＞
前述の実施形態では、ガス放出物５２として、メタンガス５２ｍとオクタン５２ｏを開示した。しかし、ガス放出物５２は、これらに限られない。シロアリは、代謝ガスとして、メタンガスの他に、水素、二酸化炭素を出すことが知られている。したがって、これら水素、あるいは、二酸化炭素を、ガス放出物５２として封入してもよい。なお、水素は赤外線を吸収しない。したがって、ガス放出物５２として水素を封入する場合、実施形態のガスセンサ３０に代えて、たとえば、特許文献１に開示されている水素ガス検知素子を用いる。
【００５０】
＜変形例２＞
また、シロアリが代謝ガス以外に放出するガスとしてフェロモンがあり、第２実施形態では、シロアリが放出するフェロモンの１つであるオクタン５２ｏをガス放出物５２としていた。しかし、オクタン５２ｏではないフェロモン、たとえば、テルピノレンなどのテルペン化合物をガス放出物５２として用いてもよい。
【００５１】
＜変形例３＞
さらには、シロアリが代謝する代謝ガスでもなく、また、シロアリが出すフェロモンでもない検知対象ガスを発生するガス放出物５２を疑似餌５０に封入してもよい。
【００５２】
シロアリが出すガスとは異なるガスを検知対象ガスとした場合、シロアリが放出するガスを検知する装置よりも早期にシロアリを検知しようとすると、シロアリが疑似餌５０を食べることにより疑似餌５０から放出される検知対象ガスの量が、シロアリが出すガスよりも多いことが必要である。
【００５３】
ここで、膜材５１の体積に比較して、封入されるガス放出物５２が放出する検知対象ガスの量が十分に多いと、シロアリが疑似餌５０を食べることにより、多量の検知対象ガスが放出されることになる。よって、膜材５１の体積に比較して、封入されるガス放出物５２が放出する検知対象ガスの量が十分に多いと、シロアリが疑似餌５０を食べることにより疑似餌５０から放出される検知対象ガスの量が、シロアリが出すガスよりも多くなると考えられる。
【００５４】
そこで、たとえば、膜材５１の体積の２倍以上の量の検知対象ガスを発生するガス放出物５２を疑似餌５０に封入する。もちろん２倍以上（たとえば、３倍、４倍、１０倍）の量の検知対象ガスを発生するガス放出物５２を疑似餌５０に封入してもよい。
【００５５】
なお、前述の実施形態のように、プレポリマーをガス放出物５２の表面で重合反応させて膜材５１を形成する場合、膜材５１の厚さは数μｍあるいはそれ以下となることから、膜材５１の体積に比較して、封入される検知対象ガスの量が十分に多くなる。また、疑似餌５０の粒形を大きくすれば、膜材５１の体積に対して、封入される検知対象ガスの量は、さらに多くなる。したがって、検知対象ガスを多く放出するという観点では、疑似餌５０の粒形は、たとえば１０μｍ以上、さらには、２０μｍ以上、３０μｍ以上のようにすることが好ましい。
【００５６】
＜変形例４＞
前述の実施形態では、マイクロプロセッサ４１が、ガスセンサ３０が測定したデータである赤外線吸収スペクトルを取得して、その赤外線吸収スペクトルと基準赤外線吸収スペクトルとを対比して、検知対象ガスが発生したか否かを判断していた。つまり、シロアリ検知装置１の内部で、検知対象ガスが発生したか否かを判断していた。しかし、ガスセンサ３０が測定したデータを、無線通信モジュール４３などの送信装置により外部に送信し、シロアリ検知装置１の外部で、検知対象ガスが発生したか否かを判断してもよい。
【００５７】
＜変形例５＞
疑似餌５０の作り方は、前述の実施形態で説明した作り方に限られない。たとえば、一対の半球状部材を嵌め合わせて球形の膜材５１を形成してもよい。また、疑似餌５０の形状は、球形である必要はなく、立方体形状など他の形状でもよい。また、疑似餌５０の大きさも前述の実施形態に限定されず、種々の大きさとすることができる。たとえば、疑似餌５０の大きさを、前述の実施形態よりも大きくして、１ミリ以上としてもよいし、反対に、前述の実施形態よりも小さくして、数十μｍあるいはそれ以下としてもよい。
【００５８】
＜変形例６＞
実施形態の疑似餌５０は最外面が膜材５１であったが、この膜材５１の外側をさらに別の膜が覆っていてもよい。
【符号の説明】
【００５９】
１：シロアリ検知装置      １０：本体部      １１：筒部      １２：フランジ部      １３：収容空間      １４：侵入口      ２０：蓋部      ３０：ガスセンサ      ３１：筐体      ３１ｓ：ガス流通穴      ３２：赤外線光源      ３３：波長可変バンドパスフィルタ      ３４：赤外線検出器      ４０：回路部      ４１：マイクロプロセッサ      ４２：メモリ      ４３：無線通信モジュール      ５０：疑似餌      ５１：膜材      ５２：ガス放出物      ５２ｍ：メタンガス      ５２ｏ：オクタン
【図１】
0006413982.tif 000002
【図２】
0006413982.tif 000003
【図３】
0006413982.tif 000004